(57)【要約】【課題】  手握り部に設けられた副凹状部に塵埃などが浸入するのをより確実に防止すること。【解決手段】  パチンコ玉２０を収容する主凹状部３０と、主凹状部３０の周縁に設けられ、運搬時に把持する手握り部４２と、手握り部４２に設けられた副凹状部４８と、副凹状部４８の開口に着脱自在に装着される蓋体５４と、を有し、蓋体５４は、副凹状部４８の開口部とその周縁を覆うように形成されているととともに、副凹状部４８に隣接して形成された返し部３２の係合部４６に係合可能に形成されている。【選択図】        図２
2006255005.tif 000002
【特許請求の範囲】
【請求項１】
遊技機を用いて遊戯を実行する際に投資すると共に、当該遊戯の状態により還元されることで、遊戯に実行による損益を遊戯者に認識させるための単位として利用される遊戯単位体を収容するための遊戯単位体収容容器であって、
前記遊戯単位体を収容する主凹状部と、
前記主凹状部の周縁に前記主凹状部に対して外側に向けて設けられ、運搬時に把持する手握り部と、
前記手握り部に設けられた副凹状部と、
前記副凹状部の開口に着脱自在に装着される蓋体と、を有し、
前記主凹状部に開口周縁には前記主凹状部の開口端から折り返された返し部が形成され、前記蓋体は、前記副凹状部の開口部とその周縁を覆うように形成されているととともに、前記返し部のうち、前記副凹状部に隣接して形成された返し部の係合部に係合可能に形成されてなる遊戯単位体収容容器。
【発明の詳細な説明】
【技術分野】
【０００１】
本発明は、遊技機を用いて遊戯を実行する際に投資するとともに、当該遊戯の状態により還元されることで、遊戯の実行による損益を遊戯者に認識させるための単位として利用される遊戯単位体を収容するための遊戯単位体収容容器に関するものである。
【０００２】
ここで、遊戯単位体とは、少なくともパチンコ機のパチンコ玉、スロットマシーン、パチスロ機のメダルを含む。
【背景技術】
【０００３】
遊戯者がパチンコ機を用いて遊戯し、その遊戯の状態に応じて賞球されるパチンコ玉は、通常パチンコ機に設けられた受皿（上皿及び下皿）で受け止めているが、多量の賞球があった場合、この受皿に貯まったパチンコ玉を比較的大きなケース（所謂ドル箱）に収容することは、全国のパチンコ店でよく見られる光景である。1つのケースには３０００個弱のパチンコ玉が収容される。したがって、ケース全体の重量がかなり大きくなる。
【０００４】
このため、重量のあるケースを持ち運ぶときに把持する手持ち握り部をケースの肉厚のみとせずに、中空円筒面状の握り部を設けることで、握り易くし、且つこの中空円筒面の外面を厚み方向に半円形形状とすることで、ケースを持ち上げたときに全ての指先で平均的に荷重を受けるようにしたものが提案されている（特許文献１参照）。
【０００５】
しかし、特許文献１では、握り易さという機能性を最優先しており、円筒面状の握り部を設けるために、無駄な空間部が存在する。
【０００６】
一方、ケースに多量のパチンコ玉が収容されるときに、パチンコ玉がケースの縁からこぼれるのを防止するために、このケースの縁部を外側から内側に向けて下位となる階段形状とし、この階段形状の一部の内側にパチンコ玉を案内する傾斜面などを設けたものが提案されている（特許文献２参照）。
【０００７】
しかし、特許文献２では、構造が複雑であり、成形方法が制限されるといった課題がある。
【０００８】
すなわち、上記各従来技術においては、所謂実用的なケースの利用性の改善という目的を達成するために、新たに無駄な空間を設けたり、構造を複雑にしたりしなければならない。
【０００９】
一方、近年、遊戯者の興味を惹き付けるために、パチンコ機の遊戯盤面にある表示部（液晶表示部）に、多彩な大当たり予告やリーチアクションなどの演出画像を表示したり、パチンコ機のデザインを工夫したり、さらに、パチンコ機にテレビ受像機を備えるなどの工夫を凝らしたりしたものが提案されている。
【００１０】
しかし、多量のパチンコ玉を収容する上で、必須であるケースに対する機能的な工夫は、ケースに色を付すなど極めて単純なものに留まっている。
【００１１】
そこで、実用的な構造を踏襲しつつ、且つ遊戯者に対する演出を表示するための機能性に優れたものが提案されている（特許文献３参照）。
【００１２】
具体的には、遊技機を用いて遊戯を実行する際に投資するとともに、当該遊戯の状態により還元されることで、遊戯の実行による損益を遊戯者に認識させるための単位として利用される遊戯単位体を収容するための遊戯単位体収容容器であって、遊戯単位体を収容する主凹状部と、この主凹状部の周縁に主凹状部に対して外側に向けて設けられ、運搬時に把持する手握り部と、この手握り部に設けられた副凹状部とを有している単位体収容容器がある。この単位体収容容器によれば、手握り部に副凹状部を設けることで、その副凹状部の形状、特に、下端面は運搬時に把持するための荷重をバランス良く受け止めることができ、副凹状部の空間には、遊戯者の小物やキャラクタグッズなどを収容することができ、実用的な構造と機能的な構造とを両立することができる。
【特許文献１】特開平７−２６５５４３号公報
【特許文献２】特開２００１−１０４６２８号公報
【特許文献３】特開２００２−３６０９１５号公報
【発明の開示】
【発明が解決しようとする課題】
【００１３】
前記従来技術においては、実用的な構造と機能的な構造とを両立するために、手握り部に副凹状部を形成し、この副凹状部の開口に、蓋体を着脱自在に装着するようになっているが、副凹状部内に塵埃などが浸入するのをより確実に防止することが望まれている。
【００１４】
そこで、本発明は、手握り部に設けられた副凹状部に塵埃などが浸入するのをより確実に防止することができる遊戯単位体収容容器を提供することを目的とするものである。
【課題を解決するための手段】
【００１５】
上記目的を達成するために、本発明は、遊技機を用いて遊戯を実行する際に投資すると共に、当該遊戯の状態により還元されることで、遊戯に実行による損益を遊戯者に認識させるための単位として利用される遊戯単位体を収容するための遊戯単位体収容容器であって、前記遊戯単位体を収容する主凹状部と、前記主凹状部の周縁に前記主凹状部に対して外側に向けて設けられ、運搬時に把持する手握り部と、前記手握り部に設けられた副凹状部と、前記副凹状部の開口に着脱自在に装着される蓋体と、を有し、前記主凹状部に開口周縁には前記主凹状部の開口端から折り返された返し部が形成され、前記蓋体は、前記副凹状部の開口部とその周縁を覆うように形成されているととともに、前記返し部のうち、前記副凹状部に隣接して形成された返し部の係合部に係合可能に形成されてなる遊戯単位体収容容器を構成したものである。
【００１６】
前記した手段によれば、副凹状部の開口に蓋体が装着されたときには、副凹状部の開口部とその周縁が蓋体で覆われるため、副凹状部に塵埃などが浸入するのをより確実に防止することができる。
【発明の効果】
【００１７】
本発明によれば、手握り部に設けられた副凹状部に塵埃などが浸入するのをより確実に防止することができる。
【発明を実施するための最良の形態】
【００１８】
以下、本発明の一実施の形態を図面に基づいて説明する。図１は、本発明の一実施例を示すパチンコ玉ケースの斜視図、図２は、本発明の一実施例を示すパチンコ玉ケースの斜視図であって、蓋体を外したときの斜視図、図３は、本発明の一実施例を示すパチンコ玉ケースの要部分解斜視図、図４は、本発明の一実施例を示すパチンコ玉ケースの底面図であって、蓋体を外したときの底面図、図５は、本発明の一実施例を示す図であって、（ａ）は、蓋体を外したときの平面図、（ｂ）は、長辺側側面図、（ｃ）は短片側側面図、図６は、本発明の一実施例を示す図であって、（ａ）は、ケースに蓋体を装着したときの平面図、（ｂ）は、長辺側側面図、（ｃ）は短片側側面図、図７は、本発明の一実施例を示すパチンコ機の正面図である。
【００１９】
本実施例では、遊戯単位体収容容器として、パチンコ玉ケース（パチンコ用玉箱）を採用した場合について説明する。
【００２０】
図７には、本実施例に係るパチンコ機１０が示されている。このパチンコ機１０は、店側のベース面１２に支持されている。ベース面１２は、カウンタ上に遊戯者側に突出した水平面になっている。
【００２１】
枠体１４の内側正面には、透明ガラス板１６が配設されている。この透明ガラス板１６で仕切られた内側の領域には、遊戯盤１８が配設されている。
【００２２】
透明ガラス板１６の下部には、賞球されたパチンコ玉２０を受け止める上皿２２、パチンコ玉２０の発射を制御するハンドル２４、上皿２２から落下するパチンコ玉２０を受け取る下皿２６が設けられている。
【００２３】
上皿２２及び下皿２６にパチンコ玉２０が満杯になると、遊戯者はこれをケース（パチンコ玉ケース）２８に移し変える。
【００２４】
ケース２８は、図１乃至図６に示すように、パチンコ玉２０を収容する主凹状部３０が設けられており、この主凹状部３０内には約１７００〜１８００発のパチンコ玉２０を収容することができる。この主凹状部３０を形成するケース本体２８の外形は直方体であり、主凹状部３０の開口周縁には、主凹状部３０の開口端から折り返された返し部３２が長辺側にそれぞれ一対形成され、主凹状部３０の開口端から折り返された返し部３４が短辺側にそれぞれ一対形成されている。
【００２５】
各返し部３２は、主凹状部３０の長辺の内壁面上部に形成された平面部３６を有する段差部３８として形成されている。この平面部３８は、中央部（主凹状部３０の長辺側中央）から両端部（主凹状部３０の短辺側近傍）にかけて徐々に低位となる傾斜面とされている。そして平面部３４の両端部には取り付け穴４０が形成されている。
【００２６】
この返し部３２の平面部３４は、下皿２６から落下するパチンコ玉２０を集中して主凹状部３０の特定の位置に落とさずに、分散して落とすための案内レールとしての役目を有している。
【００２７】
また、この段差部３８は、ケース２８に多量のパチンコ玉２０が収容されて運搬されるときの変形を防止するために、ケース２８全体の剛性を高める役目も有している。
【００２８】
一方、返し部３４には、その中央部に手握り部４２がそれぞれ形成されているとともに、手握り部４２の両側には、切り欠き４４を間にして係合部４６が形成されている。手握り部４２は、返し部４４と連続的に設けられており、各手握り部４２には副凹状部４８が形成されている。手握り部４２は、主凹状部３０の短辺側縁部から突出された一対のリブ５０によって補強されている。また手握り部４２の底面は、遊戯者の指（一般には、親指を除く４本の指）に対応する凹凸部５２が形成されている。
【００２９】
副凹状部４８は、主凹状部３０とは完全に分離されており、遊戯者の所有する小物や、キャラクタグッズなどが収容可能とされ、ケース本来の実用性（遊戯球の貯留）とは異なる機能性（小物保管などの利便性）を有することになる。
【００３０】
副凹状部４８の開口部には、蓋体５４が着脱可能に設けられている。蓋体５４は、副凹状部４８の開口部及びその周縁を覆う上面部５６と、手握り部４２の前面側を覆う前面部５８と、手握り部４２の各側面側を覆う一対の側面部６０とが一体となって形成されている。そして各側面部６０にはＵ字状に形成された係合片６２が形成されており、係合片６２の先端には係合爪６４が形成されている。各係合片６２は、蓋体６４を副凹状部４８に装着するときのガイドとして機能するようになっている。
【００３１】
具体的には、蓋体５４の上面部５６を副凹状部４８の開口部に載せ、蓋体５４の両側面部６０を手握り部４２両側の切り欠き４４に挿入すると、各係合片６２が返し部３４の底面側に形成された係合部４６に挿入され、蓋体５４が手握り部４２側に押圧されたときに、係合爪６４が弾性変形（内側に曲がるように変形）して係合片６２が係合部４６に壁面に沿って移動するようになっている。そして係合片６２の移動に伴って、係合爪６４が係合部４６の切り欠き６６の部位に到達すると、係合爪６４の先端側が弾性変形して元の状態に戻り、係合爪６４が切り欠き６６と係合し、蓋体５４が手握り部４２に装着されることになる。
【００３２】
一方、蓋体５４を手握り部４２から取り外すときには、切り欠き６６から係合片６４を手握り部４２側に押圧して弾性変形させると、係合爪６４が切り欠き６６から外れ（解除され）、この状態で蓋体５４を手握り部４２から離れる方向に引っ張ることで、蓋体５４を手握り部４２から容易に取り外すことができる構造となっている。
【００３３】
また、主凹状部３０の底面６８は長辺側の中心部を基準に漸次高位となる傾斜面として形成されており、底面６８の長辺側中央部には貫通孔７０がそれぞれ形成されている。さらに底面６８の四隅には段差部７２が形成されており、各段差部７２には切り欠き７４が長辺に沿って形成されている。すなわち、主凹上部３０内に投入されたパチンコ玉２０が底面６８の中央に移動し、移動したパチンコ玉２０のうち２個のパチンコ玉２０が貫通孔７０内に収容され、この貫通孔７０に収容されたパチンコ玉２０を介してケース２８外部に静電気を逃がすようになっている。
【００３４】
そしてこの底面６８上には消音シート７６が装着されるとともに、消音シート７６上に透過性シート７８が装着されるようになっている。消音シート７６と透過性シート７８は厚さが異なるだけで、同一の形状に形成されている。消音シート７６と透過性シート７８は略長方形形状に形成されており、長辺側の中央部には切り欠き８０、８２が形成され、略四隅には被係合部８４、８６が形成されている。各被係合部８４、８６は段差部７２の切り欠き７４内に挿入可能に形成されている。切り欠き８０、８２はパチンコ玉２０が挿入可能に形成されている。
【００３５】
主凹状部３０の底面６８に消音シート７６を装着するとともに消音シート７６上に透過性シート７８を装着すると、消音シート７６は弾性を有する緩衝シートとして構成されているため、パチンコ玉２０がケース本体２８Ａ内に収容されるに発生する騒音や衝撃力を抑制することができる。消音シート７６、透過性シート７８としては、例えば、ポリエチレン、ポリプロピレン、ポリウレタン、ゴム、ポリエステル系エラストマー、スチレン−ブラジエン系エラストマー、ポリブタジエン系エラストマー、ポリアミド系エラストマー、ポリウレタン系エラストマー、ポリ塩化ビニル系エラストマーなどから構成することができる。また消音シート７６は、所望により、青、赤、黄色、水色、緑、ピンクなど所望の着色を行うことができる。また透明、半透明であってもよい。
【００３６】
次に、本実施例の作用を説明する。
【００３７】
遊戯者がハンドル２４を操作すると、遊戯者が所有するパチンコ玉２０が遊戯盤面へ発射される。すなわち、パチンコ玉２０を投資する。遊戯盤面上では、パチンコ玉２０が釘や風車などに当接しながら自由落下し、所定の入賞口に入賞すると、その入賞口ごとに設定された賞球玉がパチンコ玉２０として還元される。この還元されたパチンコ玉２０は上皿２２へ戻される。上皿２２は、直接ハンドル操作により発射装置へ送られるため、遊戯者は継続して遊戯を楽しむことができる。
【００３８】
ところで、遊戯盤面上において特別の入賞口に入賞し、例えば、抽選などが行われて所謂大当たりとなると、パチンコ機１０の投資に対して、数倍もの還元がなされる。
【００３９】
このような大当たり状態では、上皿２６は、すぐに満杯となり、自動的に賞球されるパチンコ玉２０は下皿２６へ案内される。さらに賞球が続くと、下皿２６も満杯となりうる。このため、遊戯店では、所謂ドル箱と称するケース（パチンコ玉ケース）２８を準備しておき、遊戯者が大当たりになると、このケース２８を貸し出す。
【００４０】
遊戯者は、優越感にひたりながら下皿２６に貯まったパチンコ玉２０をケース２８へと移し替えることになる。このとき、パチンコ玉２０は、下皿２６からケース２８に落下するが、ケース２８の底面６８には、消音効果及び衝撃吸収効果を有する消音シート７６と透過性シート７８が配設されているため、パチンコ店内に大きな騒音が響きわたるのを防止することができる。
【００４１】
また、消音シート７６と透過性シート７８は、被係合部８４、８６と切り欠き７４との係合を解除し、被係合部８４、８６を切り欠き７４から取り外すことで、ケース２８から簡単に取り外すことができる。このため、ケース２８の清掃を簡単に行うことができる。また、消音シート７６や透過性シート７８を簡単に取り替えることができる。
この際、ケース２８は、遊戯者が遊戯を行っている限り、遊戯者の占有物となる。ここで、本実施例におけるケース２８では、パチンコ玉を収容する主凹状部２０とは別に、ケース２８には必須とされる手握り部４２に福凹状部４８が形成されている。
【００４２】
福凹状部４８には、遊戯者の小物やキャラクタグッズを収容することが可能となっており、遊戯中に頻繁に利用する小物などの仮置き場としたり、遊戯中に取得したキャラクタなどの仮置き場としたりすることができる。
【００４３】
この場合、ケース２８は、遊戯店を出るときに必ず取得したパチンコ玉２０を計数するために、遊戯店カウンタに持ち込まれるので、パチンコ玉２０を支持するベース面１２上にケース２８を置き忘れるといったことを改善することができる。また、副凹状部４８に小物などを収容したあと、この蓋体５４を装着することで、小物などの脱落を防止することができる。この蓋体５４には係合片６２が形成されており、蓋体５４を手握り部４２に装着するときに、係合片６２のガイドによって係合部４６に確実に装着することができる。
【００４４】
また蓋体５４が手握り部４２に装着された状態では、手握り部４２との一体感があるため、意匠的にも違和感がない。
【００４５】
また手握り部４２に蓋体５４が装着された状態では、蓋体５４が手握り部４２の開口部及びその周縁部を覆うため、隙間がなく、内部に塵埃などが浸入するのを確実に防止することができ、小物などを長時間保管しても汚れることはない。
【００４６】
また蓋体５４を取り外すときには、係合部４６の切り欠き６６から係合爪６４を弾性変形させることで、係合爪６４が切り欠き６６から解除され、蓋体５４を手握り部４２から容易に取り外すことができる。
【００４７】
また福凹状部４８には、着脱可能な蓋体５４が装着されるため、副凹状部４８に収容した小物などの脱落を防止することができる。
【００４８】
本実施例では、遊技機としてパチンコ機１０を例に挙げ、その遊戯単位体としてパチンコ玉２０を収容するためのケース２８に副凹状部４８を設けたものについて述べたが、本発明は、スロットマシーンやパチスロなどの他の遊技機に適応することもできる。この場合、遊戯単位としては、メダルとなる。そしてメダルの場合には、１５００枚収容可能である。またパチンコ玉２０は、消音シート７２がないときには約１８００発収容でき、消音シート７２を装着しているときには約１７００発収容可能である。
【００４９】
また本実施例における副凹上部４８の底面６８は底上げ構造となっているため、容量が大きく見え、遊戯者に対する満足度を高めることができる。
【００５０】
また、ケース２８の返し部３２の下部側をスロットルのメダルが還元される皿の縁に押し当てると、平面部３６両端側の取り付け穴４０内に皿の縁の一部が挿入されるので、ケース２８をスロットルのメダルが還元される皿の縁に掛けることができる。
【図面の簡単な説明】
【００５１】
【図１】本発明の一実施例を示すパチンコ玉ケースの斜視図である。
【図２】本発明の一実施例を示すパチンコ玉ケースの斜視図であって、蓋体を外したときの斜視図である。
【図３】本発明の一実施例を示すパチンコ玉ケースの要部分解斜視図である。
【図４】本発明の一実施例を示すパチンコ玉ケースの底面図であって、蓋体を外したときの底面図である。
【図５】本発明の一実施例を示す図であって、（ａ）は、蓋体を外したときの平面図、（ｂ）は、長辺側側面図、（ｃ）は短片側側面図である。
【図６】本発明の一実施例を示す図であって、（ａ）は、ケースに蓋体を装着したときの平面図、（ｂ）は、長辺側側面図、（ｃ）は短片側側面図である。
【図７】本発明の一実施例を示すパチンコ機の正面図である。
【符号の説明】
【００５２】
１０  パチンコ機（遊技機）
１２  ベース面
２０  パチンコ玉（遊戯単位体）
２２  上皿
２６  下皿
２８  パチンコケース（収容容器）
３０  主凹状部
３２、３４  返し部
３６  平面部
３８  段差部
４０  取り付け穴
４２  手握り部
４６  係合部
４８  副凹状部
５４  蓋体
６２  係合片
６４  係合爪
【図１】
2006255005.tif 000003
【図２】
2006255005.tif 000004
【図３】
2006255005.tif 000005
【図４】
2006255005.tif 000006
【図５】
2006255005.tif 000007
【図６】
2006255005.tif 000008
【図７】
2006255005.tif 000009